(57)【要約】【課題】意匠性の高いクリップ式ケースを提供する。【解決手段】第一のケース部材１０と、第一のケース部材に対向して設けられる第二のケース部材２０と、第一のケース部材及び第二のケース部材の一端に配置され、第一のケース部材及び第二のケース部材の他端を互いに近づける方向に付勢するばね部材３０と、第一のケース部材及び第二のケース部材の一端に設けられ、第一のケース部材と第二のケース部材とを連結するとともに、弾性体によって構成された連結部材４０と、を具備し、連結部材と、第一のケース部材及び第二のケース部材との連結面は、連結部材の弾性力によってシールされるとともに、ばね部材を連結部材の内部を通じて第一のケース部材及び第二のケース部材に固定した。【選択図】図４
2018206924.tif 000002
【特許請求の範囲】
【請求項１】
内部に電子機器を収納するクリップ式ケースであって、
第一のケース部材と、当該第一のケース部材に対向して設けられる第二のケース部材と、
前記第一のケース部材及び前記第二のケース部材の一端に配置され、前記第一のケース部材及び前記第二のケース部材の他端を互いに近づける方向に付勢するばね部材と、
前記第一のケース部材及び前記第二のケース部材の一端に設けられ、前記第一のケース部材と前記第二のケース部材とを連結するとともに、弾性体によって構成された連結部材と、を具備し、
前記連結部材と、前記第一のケース部材及び前記第二のケース部材との連結面は、前記連結部材の弾性力によってシールされるとともに、
前記ばね部材を前記連結部材の内部を通じて前記第一のケース部材及び前記第二のケース部材に固定したことを特徴とするクリップ式ケース。
【請求項２】
前記ばね部材は板ばねであり、
当該板ばねは、前記第一のケース部材又は前記第二のケース部材の何れか一方のケース部材の内側面に直接固定されるとともに、前記他方のケース部材に対しては、当該ケース部材の外表面の一部を構成する外側面を有し、かつ、当該ケース部材とは別部材として構成される板ばね固定部材を介して固定され、
当該板ばね固定部材と前記他方のケース部材との固定面にシール部材が介挿される請求項１に記載のクリップ式ケース。
【請求項３】
前記他方のケース部材には、前記板ばね固定部材の外側面に対応する開口部が設けられるとともに、当該開口部の内方側の周囲に、前記板ばね固定部材との固定面を形成するケース側固定部が設けられ、
前記板ばね固定部材には、前記他方のケース部材との固定面を形成する板ばね固定部材側固定部が設けられるとともに、前記他方のケース部材の開口部に対してケース内方側から固定され、
前記ケース側固定部と、前記板ばね固定部材側固定部とが前記シール部材を介して固定されることにより、前記板ばね固定部材が前記他方のケース部材に組み付けられる請求項２に記載のクリップ式ケース。
【請求項４】
前記連結部材は、前記板ばねが通される第一中空部と、前記二つのケース部材の内部を連通する第二中空部と、を有する請求項２又は３に記載のクリップ式ケース。
【発明の詳細な説明】
【技術分野】
【０００１】
本発明は、電子機器を収納するためのクリップ式ケースに関し、気密性を確保しつつクリップ構造を内部に収納する技術に関する。
【背景技術】
【０００２】
特許文献１には、電子機器にクリップを固定する構造が開示されている。ここでは、電子機器のケース外側面に嵌入用の溝が形成されたＵ字状のレールを設け、レールにアダプタ金具を嵌入して固定し、さらにアダプタ金具にクリップユニットをネジ留めで取り付けることで、電子機器にクリップを固定している。このように、クリップ構造を電子機器とは別部材として固定することで、電子機器の気密性及び防水性を確保している。
【先行技術文献】
【特許文献】
【０００３】
【特許文献１】特開２０１０−５０３９４号公報
【発明の概要】
【発明が解決しようとする課題】
【０００４】
特許文献１に記載のクリップ構造では、クリップユニットが外観に露出しており、デザインの制約となっていた。
【課題を解決するための手段】
【０００５】
内部に電子機器を収納するクリップ式ケースであって、第一のケース部材と、当該第一のケース部材に対向して設けられる第二のケース部材と、前記第一のケース部材及び前記第二のケース部材の一端に配置され、前記第一のケース部材及び前記第二のケース部材の他端を互いに近づける方向に付勢するばね部材と、前記第一のケース部材及び前記第二のケース部材の一端に設けられ、前記第一のケース部材と前記第二のケース部材とを連結するとともに、弾性体によって構成された連結部材と、を具備し、前記連結部材と、前記第一のケース部材及び前記第二のケース部材との連結面は、前記連結部材の弾性力によってシールされるとともに、前記ばね部材を前記連結部材の内部を通じて前記第一のケース部材及び前記第二のケース部材に固定した。
【０００６】
前記ばね部材は板ばねであり、当該板ばねは、前記第一のケース部材又は前記第二のケース部材の何れか一方のケース部材の内側面に直接固定されるとともに、前記他方のケース部材に対しては、当該ケース部材の外表面の一部を構成する外側面を有し、かつ、当該ケース部材とは別部材として構成される板ばね固定部材を介して固定され、当該板ばね固定部材と前記他方のケース部材との固定面にシール部材が介挿される。
【０００７】
前記他方のケース部材には、前記板ばね固定部材の外側面に対応する開口部が設けられるとともに、当該開口部の内方側の周囲に、前記板ばね固定部材との固定面を形成するケース側固定部が設けられ、前記板ばね固定部材には、前記他方のケース部材との固定面を形成する板ばね固定部材側固定部が設けられるとともに、前記他方のケース部材の開口部に対してケース内方側から固定され、前記ケース側固定部と、前記板ばね固定部材側固定部とが前記シール部材を介して固定されることにより、前記板ばね固定部材が前記他方のケース部材に組み付けられる。
【０００８】
前記連結部材は、前記板ばねが通される第一中空部と、前記二つのケース部材の内部を連通する第二中空部と、を有する。
【発明の効果】
【０００９】
本発明によれば、意匠性の高いクリップ式ケースを提供できる。
【図面の簡単な説明】
【００１０】
【図１】第一実施形態に係るクリップ式ケースの斜視図
【図２】クリップ式ケースの側面図
【図３】クリップ式ケースの側面図であり、（ａ）は挟持した状態を示す図、（ｂ）は開いた状態を示す図
【図４】クリップ式ケースの側面断面図
【図５】第二実施形態に係るクリップ式ケースの側面断面図
【図６】クリップ式ケースの分解断面図
【図７】クリップ式ケースの組み付け手順を示す図
【図８】クリップ式ケースの組み付け手順を示す図
【図９】クリップ式ケースの組み付け手順を示す図
【図１０】クリップ式ケースの組み付け手順を示す図
【発明を実施するための形態】
【００１１】
図１から図４を参照して、第一実施形態に係るクリップ式ケース１の全体構成について説明する。以下において、図１に示す前後左右上下方向をクリップ式ケース１の前後左右上下方向として規定して説明する。
【００１２】
クリップ式ケース１は、第一のケース部材１０、第二のケース部材２０、ばね部材としての板ばね３０、及び、連結部材４０を具備し、内部に電子機器５０が収納されている（図２参照）。電子機器５０としては、特定の機能を発揮する装置やセンサ類、これらの装置類に電源を供給する二次電池等の電源装置などが挙げられるが、これらに限定されることはない。さらに、図２は、第一のケース部材１０と第二のケース部材２０の両方に電子機器５０を収納する構成を示しているが、第一のケース部材１０と第二のケース部材２０の何れか一方に電子機器５０を収納する構成としても良い。
【００１３】
第一のケース部材１０は、一面（前面）が開口した箱状に形成された収納部１１、及び、収納部１１の開口面を塞ぐ蓋部１２を備える。収納部１１の底面（第一のケース部材１０の後面）はクリップ式ケース１の挟持面１３として機能する。蓋部１２は、収納部１１に対して適宜のシール構造を介して固定される。これにより、収納部１１の開口側の気密性が確保される。収納部１１の第二のケース部材２０と対向する側面の一端（挟持面１３の上端）には、連結部材４０が嵌入される開口部１４が形成される。開口部１４に連結部材４０を嵌入することで、開口部１４における連結面（連結部材４０と開口部１４が接触している面）のシール性が確保されている。
【００１４】
第二のケース部材２０は、一面（後面）が開口した箱状に形成された収納部２１、及び、収納部２１の開口面を塞ぐ蓋部２２を備える。収納部２１の底面（第二のケース部材２０の前面）はクリップ式ケース１の挟持面２３として機能する。蓋部２２は、収納部２１に対して適宜のシール構造を介して固定される。これにより、収納部２１の開口側の気密性が確保される。収納部２１の第一のケース部材１０と対向する側面の一端（挟持面２３の上端）には、連結部材４０が嵌入される開口部２４が形成される。開口部２４に連結部材４０を嵌入することで、開口部２４における連結面（連結部材４０と開口部２４が接触している面）のシール性が確保されている。
【００１５】
板ばね３０は、弾性体によって構成されている。板ばね３０は、薄板を同じ方向に二回折り曲げて形成される「コ」字形状を有する。板ばね３０は、中央の支持片３１と支持片３１の両端部から折り曲げて延出される二つの挟持片３２とによって構成される。板ばね３０は、支持片３１を中心として挟持片３２が互いに近づく方向（閉じる方向）に復元力（付勢力）が発生し、外力が付与されていない状態では、二つの挟持片３２が近接又は接触した状態となる。なお、板ばね３０の形状は、「コ」字状に限定されず、中央部分で湾曲させてなる「Ｕ」字状等、他の形状でも良く、第一のケース部材１０と第二のケース部材２０の一端側に配置され、これらの他端を互いに近接する方向に付勢力を発揮できる形状であれば良い。
【００１６】
第一のケース部材１０の内側面（収納部１１の内底面）に突起１５が設けられ、第二のケース部材２０の内側面（収納部２１の内底面）に突起２５が設けられている。これらの突起１５・２５は、板ばね３０を保持するためのものである。突起１５・２５は円錐台状の突起であり、突出方向中途部に抜け止め（又は滑り止め）が設けられている。他方、板ばね３０の挟持片３２には、突起１５・２５のそれぞれが嵌入可能な係止穴３３が設けられている。板ばね３０の係止穴３３・３３に突起１５・２５を嵌入することで、板ばね３０が第一のケース部材１０と第二のケース部材２０に固定される。
【００１７】
連結部材４０は、中空の略角筒状に形成される弾性部材である。連結部材４０は、第一のケース部材１０の開口部１４と、第二のケース部材２０の開口部２４とを封止するとともに、これらのケース部材１０・２０を連結するものである。また、ケース部材１０・２０を動かす（つまり、クリップ式ケース１を開いて挟持する）際に、連結部材４０が弾性変形して追従することにより、開口部１４・２４の封止を維持したままクリップ式ケース１の変形を許容する。つまり、連結部材４０は、第一のケース部材１０の下端と第二のケース部材２０の下端が互いに近接離間する方向に移動可能に連結している（図３参照）。
【００１８】
具体的には、連結部材４０には、開口部１４の内周形状に応じた形状を有する第一連結部４１と、開口部２４の内周形状に応じた形状を有する第二連結部４２が形成されている。第一連結部４１及び第二連結部４２は、連結部材４０の他の部位よりも小さい外周形状を有する溝として形成されている。連結部材４０を開口部１４に嵌入する際に、連結部材４０の第一連結部４１と第一のケース部材１０の開口部１４とを密着させることで、これらの連結面が連結部材４０の弾性力によってシールされる。同様に、連結部材４０を開口部２４に嵌入する際に、連結部材４０の第二連結部４２と第二のケース部材２０の開口部２４とを密着させることで、これらの連結面が連結部材４０の弾性力によってシールされる。
【００１９】
連結部材４０の内部空間には、板ばね３０の一部が配置される。具体的には、板ばね３０の支持片３１が連結部材４０の内側面と接するように配置される。また、連結部材４０の両端部に、板ばね３０の挟持片３２が通過可能な切り欠き４３・４４が設けられている。連結部材４０の切り欠き４３・４４を通じて、板ばね３０の挟持片３２が第一のケース部材１０及び第二のケース部材２０側に延出され、それらの内側面に沿って配置される（図４参照）。
【００２０】
以上のように、クリップ式ケース１は、第一のケース部材１０と第二のケース部材２０の上端を連結部材４０で連結するとともに、これら二つのケース部材１０・２０の下端を互いに近づける方向に付勢するばね部材３０を、連結部材４０の内部を通じて配置している。そして、ばね部材３０の付勢力により、二つのケース部材１０・２０の挟持面１３・２３で挟持可能に構成されている。ばね部材３０の付勢力に抗して挟持面１３・２３の間隔を広げることで、挟持する対象の厚みに合わせて挟持態様を適宜調整できる。
【００２１】
板ばね３０は、連結部材４０の内部空間を通じて、第一のケース部材１０の内側面と第二のケース部材２０の内側面に延出されて固定されている。このように、クリップ式ケース１の二つのケース部材１０・２０を連結する連結部材４０の内部に板ばね３０を配置することで、板ばね３０を外部に露出させない構造を実現している。従って、従来のクリップユニットが外部に露出した構造と比べて、クリップ式ケース１のデザイン性を大幅に向上することができる。
【００２２】
クリップ式ケース１の開口部は、蓋部１２・２２、及び、連結部材４０によってそれぞれ封止され、防水性が確保されている。このように、クリップ式ケース１は、内部に収納される電子機器５０を保護するための防水性の確保と、板ばね３０を外観に露出しないことによるデザイン性の向上とを両立している。
【００２３】
また、中空構造の連結部材４０を通じて第一のケース部材１０の内部と第二のケース部材２０の内部とを連通することで、二つのケース部材１０・２０のそれぞれに収納される電子機器５０をケース内で接続することが可能となる等、ケース部材１０・２０の収納空間を最大限利用することが可能となり、クリップ式ケース１に収納できる電子機器５０のバリエーションを増やすこともできる。
【００２４】
次に、図５及び図６を参照して、第二実施形態に係るクリップ式ケース１００について説明する。クリップ式ケース１００は、第一のケース部材１１０、第二のケース部材１２０、板ばね１３０、連結部材１４０、及び、板ばね固定部材１５０を具備し、内部に電子機器（不図示）が収納される。
【００２５】
第一のケース部材１１０は、一面（前面）が開口した箱状に形成された収納部１１１、及び、収納部１１１の開口面を塞ぐ蓋部１１２を備える。収納部１１１の底面（第一のケース部材１１０の後面）はクリップ式ケース１００の挟持面１１３として機能する。蓋部１１２は、収納部１１１に対して適宜のシール構造を介して固定される。これにより、収納部１１１の開口側の気密性が確保される。収納部１１１の第二のケース部材１２０と対向する側面の一端（挟持面１１３の上端）には、連結部材１４０が嵌入される第一開口部１１４が形成される。第一開口部１１４に連結部材１４０を嵌入することで、第一開口部１１４における連結面（連結部材１４０と第一開口部１１４が接触している面）のシール性が確保されている。
【００２６】
第二のケース部材１２０は、一面（後面）が開口した箱状に形成された収納部１２１、及び、収納部１２１の開口面を塞ぐ蓋部１２２を備える。収納部１２１の底面（第二のケース部材１２０の前面）はクリップ式ケース１００の挟持面１２３として機能する。蓋部１２２は、収納部１２１に対して適宜のシール構造を介して固定される。これにより、収納部１２１の開口側の気密性が確保される。収納部１２１の第一のケース部材１１０と対向する側面の一端（挟持面１２３の上端）には、連結部材１４０が嵌入される開口部１２４が形成される。開口部１２４に連結部材１４０を嵌入することで、開口部１２４における連結面（連結部材１４０と開口部１２４が接触している面）のシール性が確保されている。第二のケース部材１２０の内側面（収納部１２１の内底面）に、板ばね１３０を固定するための突起１２５が設けられている。突起１２５は、略円錐台状の突起であり、突出方向中途部に抜け止め又は滑り止めが設けられている。
【００２７】
板ばね１３０は、弾性体によって構成されている。板ばね１３０は、薄板を同じ方向に二回折り曲げて形成される「コ」字形状を有する。板ばね１３０は、中央の支持片１３１と支持片１３１の両端部から折り曲げて延出される二つの挟持片１３２とによって構成される。板ばね１３０は、支持片１３１を中心として挟持片１３２が互いに近づく方向（閉じる方向）に復元力（付勢力）が発生し、外力が付与されていない状態では、二つの挟持片１３２が近接又は接触した状態となる。各挟持片１３２の中央部には、係止穴１３３が設けられている。なお、板ばね１３０の形状は、「コ」字状に限定されず、中央部分で湾曲させてなる「Ｕ」字状等、他の形状でも良く、第一のケース部材１１０と第二のケース部材１２０の一端側に配置され、これらの他端を互いに近接する方向に付勢力を発揮できる形状であれば良い。
【００２８】
連結部材１４０は、中空の略角筒状に形成される弾性部材である。連結部材１４０は、第一のケース部材１１０の第一開口部１１４と、第二のケース部材１２０の開口部１２４とを封止するとともに、これらのケース部材１１０・１２０を連結するものである。また、ケース部材１１０・１２０を動かす（つまり、クリップ式ケース１００を開いて挟持する）際に、連結部材１４０が弾性変形して追従することにより、第一開口部１１４及び開口部１２４との封止を維持したままクリップ式ケース１００の変形を許容する。つまり、連結部材１４０は、第一のケース部材１１０の下端と第二のケース部材１２０の下端が互いに近接離間する方向に移動可能に連結している。
【００２９】
第一のケース部材１１０には、第二開口部１１５が設けられている。第二開口部１１５は、第一開口部１１４とは別に設けられている開口である。つまり、第一のケース部材１１０の第二のケース部材１２０と対向する面（後面）には、第一開口部１１４と第二開口部１１５の二つの開口部が設けられている。そして、第二開口部１１５の第一のケース部材１１０の内方側（前側）の周囲には、リブ１１６が立設されている。リブ１１６は、第一のケース部材１１０の内側面から前方に向けて突出して設けられる環状の突起である。
【００３０】
第一のケース部材１１０には、第二開口部１１５を内方側（前側）から塞ぐように、板ばね固定部材１５０が設けられている。板ばね固定部材１５０は、第一のケース部材１１０とは別部材として設けられている。板ばね固定部材１５０は、上下面が開放された略角筒状の部材である。板ばね固定部材１５０の後面は、第一のケース部材１１０の後面（挟持面１１３）と連続する同一平面を形成することで、第一のケース部材１１０の外表面の一部を構成する外側面１５１として形成される。板ばね固定部材１５０の前面には、リブ１１６の端面と当接可能なフランジ１５２が形成される。フランジ１５２は、板ばね固定部材１５０の前面に上下左右方向に延出して設けられ、リブ１１６の外周よりも大きい外周形状を有する。板ばね固定部材１５０は、後面を形成する外側面１５１と前面を形成するフランジ１５２との間に、板ばね１３０を固定するための空間を有している。
【００３１】
板ばね固定部材１５０のフランジ１５２と第一のケース部材１１０のリブ１１６との間に、シール部材１６０が介挿される。つまり、第一のケース部材１１０のリブ１１６は、板ばね固定部材１５０との固定面を形成するケース側の固定部であり、板ばね固定部材１５０のフランジ１５２は、第一のケース部材１１０との固定面を形成する板ばね固定部材側の固定部である。シール部材１６０を介して板ばね固定部材１５０を第一のケース部材１１０に組み付けることで、これらの固定面のシール性を確保している。言い換えれば、シール部材１６０によって、板ばね固定部材１５０が設けられている第一のケース部材１１０の第二開口部１１５からの浸水を防止している。
【００３２】
板ばね固定部材１５０の内側面（外側面１５１の裏面）に、板ばね１３０を固定するための突起１５３が設けられる。突起１５３は、板ばね１３０の係止穴１３３に応じた形状を有する突出部であり、突起１５３を板ばね１３０の係止穴１３３に嵌入することで、板ばね１３０が板ばね固定部材１５０に固定される。
【００３３】
連結部材１４０は、板ばね１３０が通される第一中空部１４１と、第一のケース部材１１０と第二のケース部材１２０の内部を連通する第二中空部１４２とを含む中空構造を有する。このように、板ばね１３０を通す通路と別に、二つのケース部材１１０・１２０の内部空間を連通する通路を設けて、第一中空部１４１と第二中空部１４２の機能を明確に分けている。これにより、第一のケース部材１１０の内部に収納される電子機器と第二のケース部材１２０の内部に収納される電子機器との間の内部配線が容易になる等の利点がある。
【００３４】
最後に、図７から図１０を参照して、クリップ式ケース１００を組み付ける手順について簡単に説明する。
【００３５】
図７に示すように、板ばね１３０を板ばね固定部材１５０に組み付ける。具体的には、板ばね１３０の係止穴１３３と板ばね固定部材１５０の突起１５３とが係合するように、板ばね１３０を板ばね固定部材１５０の内部に挿入する。この際、板ばね１３０は適宜の治具によって広げた状態で作業を行うことが好ましい。
【００３６】
図８に示すように、板ばね１３０を組み付けた板ばね固定部材１５０を第一のケース部材１１０の第二開口部１１５に組み付ける。具体的には、板ばね固定部材１５０のフランジ１５２と第一のケース部材１１０のリブ１１６との間にシール部材１６０を介挿した状態で、板ばね固定部材１５０をケース内方側から第二開口部１１５に挿入して固定する。この際、図示は省略しているが、フランジ１５２に設けた穴を用いて、ビス止めやボルト止めによってシール部材１６０が圧着することで封止される。
【００３７】
図９に示すように、板ばね１３０を組み付けた板ばね固定部材１５０を第一のケース部材１１０に組み付けた後、連結部材１４０を第一のケース部材１１０の第一開口部１１５に組み付ける。具体的には、連結部材１４０の第一中空部１４１に板ばね１３０を通しつつ、連結部材１４０を第一開口部１１４に嵌入する。連結部材１４０によって、第一開口部１１４のシール性が確保される。
【００３８】
図１０に示すように、板ばね１３０を組み付けた板ばね固定部材１５０を第一のケース部材１１０に組み付け、連結部材１４０を第一開口部１１４に組み付けた後、第二のケース部材１２０を組み付ける。具体的には、板ばね１３０の係止穴１３３を第二のケース部材１２０の内側面の突起１２５に嵌入して固定し、かつ、連結部材１４０を第二のケース部材１２０の開口部１２４に嵌入させる。連結部材１４０によって、開口部１２４のシール性が確保される。そして、適宜内部に電子機器を収納した後に、蓋部１１２・１２２を収納部１１１・１２１に固定し、クリップ式ケース１００が組み付けられる。
【００３９】
以上のように、板ばね固定部材１５０を第一のケース部材１１０とは別部材とし、板ばね１３０を固定する工程を別に設けることで、組み付け性を向上することができる。また、板ばね固定部材１５０は、第一のケース部材１１０の外側面（後面）と面一となる外側面１５１を有することで、別部材として板ばね固定部材１５０を組み付けた際にも、クリップ式ケース１００の意匠性を損なうことがなく、全体として高い意匠性を維持することが可能である。そして、板ばね固定部材１５０と第一のケース部材１１０との固定面にシール部材１６０を介挿することで、別部材として組み込まれる板ばね固定部材１５０における防水性を確保している。
【００４０】
また、第一のケース部材１１０の後面には、板ばね固定部材１５０の外側面１５１に対応する第二開口部１１５が設けられ、第二開口部１１５の周囲に内方側（前側）に向けて突出するようにリブ１１６が設けられている。一方、板ばね固定部材１５０には、リブ１１６と当接可能なフランジ１５２が設けられている。つまり、第一のケース部材１１０の内方側から外方側（前側から後側）に向けて板ばね固定部材１５０を組み付けることとなり、板ばね１３０を固定するための仕組みを第一のケース部材１１０の内側に設ける構成となっている。このように、別部材として設けられる板ばね固定部材１５０を第一のケース部材１１０の内側に設けることによって、ケース外部に板ばね固定部材１５０を突出させることがなく、ケース自体の寸法を大きくする必要がない。
【符号の説明】
【００４１】
１：クリップ式ケース、１０：第一のケース部材（他方のケース部材）、２０：第二のケース部材（一方のケース部材）、３０：板ばね（ばね部材）、４０：連結部材、５０：電子機器、１００：クリップ式ケース、１１０：第一のケース部材（他方のケース部材）、１１５：第二開口部、１２０：第二のケース部材（一方のケース部材）、１３０：板ばね（ばね部材）、１４０：連結部材、１５０：板ばね固定部材、１６０：シール部材
【図１】
2018206924.tif 000003
【図２】
2018206924.tif 000004
【図３】
2018206924.tif 000005
【図４】
2018206924.tif 000006
【図５】
2018206924.tif 000007
【図６】
2018206924.tif 000008
【図７】
2018206924.tif 000009
【図８】
2018206924.tif 000010
【図９】
2018206924.tif 000011
【図１０】
2018206924.tif 000012